(57)【要約】【課題】  ペットボトル内の飲料水を効果的に冷却して飲料することができると共に、構造簡単にして安価に製造することができるペットボトルを利用した卓上サーバーを提供する。【解決手段】  飲料水４が収納されたペットボトル３をその口部９側が下に向いた状態で保持するボトルスタンド７を備えると共に、ペットボトル３の口部９にキャップと交換して装着されるコック１１を備えた卓上サーバーであって、前記ボトルスタンド７に、ペットボトル３の外周を包囲してペットボトル３内の飲料水４を冷却する筒状ペルチェ３６が設けられている。【選択図】図１
2013116757.tif 000002
【特許請求の範囲】
【請求項１】
飲料水（４）が収納されたペットボトル（３）をその口部（９）側が下に向いた状態で保持するボトルスタンド（７）を備えると共に、ペットボトル（３）の口部（９）にキャップと交換して装着されるコック（１１）を備えた卓上サーバーであって、
前記ボトルスタンド（７）に、ペットボトル（３）の外周を包囲してペットボトル（３）内の飲料水（４）を冷却する筒状ペルチェ（３６）が設けられていることを特徴とする卓上サーバー。
【請求項２】
前記筒状ペルチェ（３６）は、ペットボトル（３）の胴部（１３）が内嵌される上筒部（３８）と、上筒部（３８）の下端から下方に向けて先細り状に傾斜してペットボトル（３）の肩部（１４）が上側から係合される係合筒部（３９）とを有し、筒状ペルチェ（３６）が、ボトルスタンド（７）に保持されたペットボトル（３）の胴部（１３）から肩部（１４）に亘ってその外周を包囲するように構成され、上筒部（３８）及び係合筒部（３９）の内周面が筒状ペルチェ（３６）の吸熱面（３６ａ）とされ、上筒部（３８）及び係合筒部（３９）の外周面が筒状ペルチェ（３６）の発熱面（３６ｂ）とされていることを特徴とする請求項１に記載の卓上サーバー。
【請求項３】
ボトルスタンド（７）は、ペットボトル（３）を内嵌保持する筒状のボトル支持部（１７）を有し、このボトル支持部（１７）の内周面（１７ａ）に沿って前記筒状ペルチェ（３６）が配置され、ボトルスタンド（７）は筒状ペルチェ（３６）を介してペットボトル（３）を保持するように構成されていることを特徴とする請求項２に記載の卓上サーバー。
【請求項４】
筒状ペルチェ（３６）の係合筒部（３９）の下端は開口されており、ボトルスタンド（７）に保持されたペットボトル（３）の口部（９）と口部（９）に装着されるコック（１１）とが、ボトル支持部（１７）及び筒状ペルチェ（３６）から下方に突出され、筒状ペルチェ（３６）の係合筒部（３９）の下端開口（４２）の下方に、ペットボトル（３）の飲料水（４）を受けるコップ（４４）を載せるための受け皿（４５）が設けられていることを特徴とする請求項３に記載の卓上サーバー。
【請求項５】
ペットボトル（３）の口部（９）に装着されるコック（１１）は、口部（９）に下方突出状に外嵌装着されるコック本体（２８）と、コック本体（２８）の外側方に位置する操作レバー（２９）とを備え、コック本体（２８）の下端部に注出口（３０）が形成され、前記筒状ペルチェ（３６）の係合筒部（３９）は、ボトルスタンド（７）に保持されたペットボトル（３）の肩部（１４）の上端から操作レバー（２９）の直ぐ上方に位置する肩部（１４）の口部（９）近傍までを包囲していることを特徴とする請求項２〜４のいずれかに記載の卓上サーバー。
【請求項６】
コック本体（２８）にエア吸入パイプ（３３）が上下貫通状に設けられ、このエア吸入パイプ（３３）を通して外部の空気をペットボトル（３）内に吸入するように構成されていることを特徴とする請求項５に記載の卓上サーバー。
【請求項７】
前記筒状のボトル支持部（１７）は上方に向けて徐々に細くなるように先細り状に形成されてその外周面（１７ｂ）が上方に行くに従って筒軸心（Ａ）に向かうように傾斜され、ボトルスタンド（７）に保持されたペットボトル（３）の上部がボトル支持部（１７）及び筒状ペルチェ（３６）から上方に突出するように、ボトル支持部（１７）及び筒状ペルチェ（３６）の上下方向の長さはペットボトル（３）の長さよりも短く設定されていることを特徴とする請求項３に記載の卓上サーバー。
【発明の詳細な説明】
【技術分野】
【０００１】
本発明は、ペットボトルを利用した卓上サーバーに関するものである。
【背景技術】
【０００２】
ペットボトルを利用した卓上サーバーには、飲料水が収納されたペットボトルをその口部側が下に向いた状態で保持するボトルスタンドを備えると共に、ペットボトルの口部にキャップと交換して装着されるコックを備えたものがある（例えば、特許文献１〜３）。
この種の従来の卓上サーバーは、ボトルスタンドに保持されたペットボトル内の飲料水を冷却するようにはなっていなかった（例えば、特許文献１〜３）。
【先行技術文献】
【特許文献】
【０００３】
【特許文献１】特開２００９−１２０２２１号公報
【特許文献２】特開２０１１−１６８３３３号公報
【特許文献３】特開２００３−１０４４９６号公報
【発明の概要】
【発明が解決しようとする課題】
【０００４】
従って、従来のペットボトルを利用した卓上サーバーでは冷却した飲料水を飲むことができなかった。
そこで、ボトルスタンドに保持されたペットボトルの外周に冷却パイプを螺旋状に配置し、この冷却パイプに冷却媒体を流すことにより、ボトルスタンドに保持されたペットボトル内の飲料水を冷却するようになすことが考えられるが、このようにした場合には冷却装置の構造が非常に複雑であり、卓上サーバーの製造費用が高騰することとなり、実用性に欠けるものとなった。
本発明は上記問題点に鑑み、ペットボトル内の飲料水を効果的に冷却して飲料することができると共に、構造簡単にして安価に製造することができるペットボトルを利用した卓上サーバーを提供することを目的としている。
【課題を解決するための手段】
【０００５】
本発明における課題解決のための具体的手段は、次の通りである。
この技術的課題を解決する本発明の技術的手段は、飲料水４が収納されたペットボトル３をその口部９側が下に向いた状態で保持するボトルスタンド７を備えると共に、ペットボトル３の口部９にキャップと交換して装着されるコック１１を備えた卓上サーバーであって、
前記ボトルスタンド７に、ペットボトル３の外周を包囲してペットボトル３内の飲料水４を冷却する筒状ペルチェ３６が設けられている点にある。
また、本発明の他の技術的手段は、前記筒状ペルチェ３６は、ペットボトル３の胴部１３が内嵌される上筒部３８と、上筒部３８の下端から下方に向けて先細り状に傾斜してペットボトル３の肩部１４が上側から係合される係合筒部３９とを有し、筒状ペルチェ３６が、ボトルスタンド７に保持されたペットボトル３の胴部１３から肩部１４に亘ってその外周を包囲するように構成され、上筒部３８及び係合筒部３９の内周面が筒状ペルチェ３６の吸熱面３６ａとされ、上筒部３８及び係合筒部３９の外周面が筒状ペルチェ３６の発熱面３６ｂとされている点にある。
また、本発明の他の技術的手段は、ボトルスタンド７は、ペットボトル３を内嵌保持する筒状のボトル支持部１７を有し、このボトル支持部１７の内周面１７ａに沿って前記筒状ペルチェ３６が配置され、ボトルスタンド７は筒状ペルチェ３６を介してペットボトル３を保持するように構成されている点にある。
また、本発明の他の技術的手段は、筒状ペルチェ３６の係合筒部３９の下端は開口されており、ボトルスタンド７に保持されたペットボトル３の口部９と口部９に装着されるコック１１とが、ボトル支持部１７及び筒状ペルチェ３６から下方に突出され、筒状ペルチェ３６の係合筒部３９の下端開口４２の下方に、ペットボトル３の飲料水４を受けるコップ４４を載せるための受け皿４５が設けられている点にある。
また、本発明の他の技術的手段は、ペットボトル３の口部９に装着されるコック１１は、口部９に下方突出状に外嵌装着されるコック本体２８と、コック本体２８の外側方に位置する操作レバー２９とを備え、コック本体２８の下端部に注出口３０が形成され、前記筒状ペルチェ３６の係合筒部３９は、ボトルスタンド７に保持されたペットボトル３の肩部１４の上端から操作レバー２９の直ぐ上方に位置する肩部１４の口部９近傍までを包囲している点にある。
また、本発明の他の技術的手段は、コック本体２８にエア吸入パイプ３３が上下貫通状に設けられ、このエア吸入パイプ３３を通して外部の空気をペットボトル３内に吸入するように構成されている点にある。
また、本発明の他の技術的手段は、前記筒状のボトル支持部１７は上方に向けて徐々に細くなるように先細り状に形成されてその外周面１７ｂが上方に行くに従って筒軸心Ａに向かうように傾斜され、ボトルスタンド７に保持されたペットボトル３の上部がボトル支持部１７及び筒状ペルチェ３６から上方に突出するように、ボトル支持部１７及び筒状ペルチェ３６の上下方向の長さはペットボトル３の長さよりも短く設定されている点にある。
【発明の効果】
【０００６】
請求項１によれば、筒状ペルチェでペルチェ効果によってペットボトル内の飲料水を効果的に冷却して飲料することができる。筒状ペルチェはペルチェ効果を有するペルチェ素子や金属板等を筒状に形成することによって簡単に構成することができ、筒状ペルチェは非常に簡単な構成になるし、冷却媒体を循環させるときのような可動部が不要になり、卓上サーバー全体を構造簡単にして安価に製造することができる。
しかも、ペルチェ効果を利用して冷却するため、冷却媒体を循環させるときのような可動部が不要になり、騒音を生じさせることなくペットボトル内の飲料水を冷却できる。
請求項２によれば、筒状ペルチェの上筒部と係合筒部とで、ボトルスタンドに保持されたペットボトルの胴部から肩部に亘って効果的に冷やすことができ、特にペットボトルの胴部の外周面に筒状ペルチェの係合筒部の吸熱面を略全域に亘って沿わせることも可能になり、極めて簡単な構造の冷却手段でペットボトル内の飲料水を効果的に冷却でき、節電効果も期待できる。
請求項３によれば、ボトルスタンド乃至ボトル支持部は、ボトルスタンドに保持されたペットボトルに筒状ペルチェを介して接触することとなり、このため、ペットボトルを保持するために当該ペットボトルに接触する部分のすべてを筒状ペルチェの吸熱面とすることが可能になり、極めて効率よく冷却対象であるペットボトル乃至ペットボトル内の飲料水を冷却することができる。
請求項４によれば、ボトルスタンドに保持されたペットボトルの口部から筒状ペルチェで冷却された飲料水をストレートに下方に注出することができるようになり、卓上サーバー全体をシンプルで構造が簡単なものになし得る。
また、ペットボトルの口部から注出された飲料水をコップで受ける際に飛び散った飲料水を受け皿で受けることができ、飛び散った飲料水で卓上サーバーの周囲が濡れるのを防ぐことができる。
請求項５によれば、筒状ペルチェの係合筒部でペットボトルの肩部及び肩部内の飲料水の全体を効率よく冷却することができ、ボトルスタンドに保持されたペットボトルの口部から注出される直前の冷却水をうまく冷却することできる。
請求項６によれば、コックの注出口を開いてペットボトルの飲料水を注出する際に、外部の空気がエア吸入パイプを通してボトルスタンドに保持されたペットボトル内に吸入されるため、コックの注出口からペットボトル内の飲料水を脈動することなくスムーズに注出することができる。
請求項７によれば、ボトル支持部乃至ボトルスタンドを下方側が大きく広がった安定した形状になすことができ、ペットボトルの形状や大きさに拘わらずペットボトルをその口部側が下に向いた状態で安定に保持することができる。
また、ボトルスタンドによって保持する対象であるペットボトルよりも、ボトル支持部及び筒状ペルチェの上下方向の長さが短くなるため、ボトルスタンド乃至卓上サーバー全体の高さを低くすることができ、卓上サーバーを小型でコンパクトなものになし得る。
【図面の簡単な説明】
【０００７】
【図１】本発明の一実施形態を示す一部断面を省略した卓上サーバーの概略正面断面図である。
【発明を実施するための形態】
【０００８】
以下、本発明の実施の形態を図面に基づいて説明する。
図１は本発明の一実施形態を示している。図１において、小型の卓上サーバー１は、ペットボトル３を利用して飲料水４を飲料可能にしたもので、飲料水４が収納されたペットボトル３をその口部９側が下に向いた状態で保持するボトルスタンド７を備えると共に、ペットボトル３の口部９にキャップと交換して装着されるコック１１を備えている。
ここで、ボトルスタンド７に保持されるペットボトル３は、一般的に使用されているもので、例えば２リットル用のペットボトル３が使用され、このペットボトル３は胴部１３から肩部１４を介して口部９が突出されており、肩部１４は口部９に向けて徐々に小さくなった先窄まりの筒状に形成され、口部９は小径の円筒状に形成されている。
ボトルスタンド７は、上部にペットボトル３を内嵌保持する筒状のボトル支持部１７を有している。このボトル支持部１７は上下方向の筒状に形成されており、その筒軸心Ａは上下方向を向いている。
なお、ボトル支持部１７は筒状であれば、円筒状、四角形の角筒状又は他の多角形の角筒状であってもよいし、異形の筒状であってもよい。
ボトル支持部１７は上部側の上筒孔２１と上筒孔２１の下端から下方に向けて先細り状に傾斜した下部側の傾斜筒孔２２とを有し、ボトル支持部１７の内周面１７ａはその下部側が下方に行くに従って筒軸心Ａに向かうように傾斜されている。
ボトル支持部１７の上下両端は開口しており、ペットボトル３はその上端開口２４からボトル支持部１７に内嵌状に挿入され、ボトル支持部１７の下端開口２５からペットボトル３の口部９が下方に突出するようになっている。
前記筒状のボトル支持部１７は上方に向けて徐々に細くなるように先細り状に形成されてその外周面１７ｂが上方に行くに従って筒軸心Ａに向かうように傾斜されている。
ボトル支持部１７の上下方向の長さは、２リットル用のペットボトル３の長さの半分程度に短く設定されており、ボトルスタンド７に保持された２リットル用のペットボトル３の上部がボトル支持部１７から上方に突出するようになっている。
ペットボトル３の口部９に装着されるコック１１は、口部９に下方突出状に外嵌装着されるコック本体２８と、コック本体２８の外側方に位置する操作レバー２９とを備え、コック本体２８の下端部に口部９の下方に位置する注出口３０が形成されている。
操作レバー２９を回動操作することで、例えばコック本体２８内の弁棒が上下移動してコック本体２８の注出口３０が開閉し、ペットボトル３内の飲料水４が注出口３０から注出し又は注出を停止するようになっている。
コック本体２８にエア吸入パイプ３３が上下貫通状に設けられ、このエア吸入パイプ３３を通して外部の空気をペットボトル３内に吸入するように構成されている。
なお、エア吸入パイプ３３の上部側又は下部側がコック本体２８から上下に突出するようにしてもよい。
また、エア吸入パイプ３３の上端部に逆止弁を設けるようにしてもよく、このようにすればペットボトル３内の飲料水４がエア吸入パイプ３３内に浸入してエア吸入パイプ３３を通して飲料水４が外部に漏れるのを防止することができる。
また、エア吸入パイプ３３に代えて、コック本体２８にエア吸入孔を上下貫通状に形成するようにしてもよく、この場合も、エア吸入孔の上端部に逆止弁を設けるようにしてもよい。
前記ボトルスタンド７に、ペットボトル３の外周を包囲してペットボトル３内の飲料水４を冷却する筒状ペルチェ３６が設けられている。
筒状ペルチェ３６は上下方向を向いた筒状であり、その筒軸心は前記ボトル支持部１７の筒軸心Ａと一致しており、上下方向を向いている。
なお、筒状ペルチェ３６は、ボトル支持部１７と同様に筒状であれば、円筒状、四角形の角筒状又は他の多角形の角筒状であってもよいし、異形の筒状であってもよく、ボトル支持部１７の内周面１７ａに対応した筒形状である。
筒状ペルチェ３６は、ペットボトル３の胴部１３が内嵌される上筒部３８と、上筒部３８から下方に向けて先細り状に傾斜してペットボトル３の肩部１４が上側から係合される係合筒部３９とを有し、上筒部３８及び係合筒部３９の内周面が筒状ペルチェ３６の吸熱面３６ａとされ、上筒部３８及び係合筒部３９の外周面が筒状ペルチェ３６の発熱面３６ｂとされている。
ここで、筒状ペルチェ３６とは、ペルチェ効果を有するペルチェ素子や金属板等を筒状に形成したものである。このペルチェ効果は、異なる金属を接合し電圧をかけると、接合点で熱の吸収、放出が起こる効果で、２つの異種金属を電気的に直列に接合して直流電流を流すと、その接合部分にジュール熱以外の吸熱及び発熱が発生する現象をいい、電圧から温度差を作り出す現象である。
即ち、異なる２種類の金属または半導体（Ｎ型とＰ型）を２つの点で接合したものに、電流を流すと、電流は片方の接点からもう一方に動くとき熱も輸送し、片方の接点は冷やされ、もう一方は温められるのである。
また、ペルチェ素子とは、直流電流を流すことによって一方の面から他方の面に熱を移動させる効果のある熱電変換デバイスで、冷却と加熱及び温度制御を行うことができる半導体素子のことである。
ペルチェ素子の動作原理は、ＰＮ接合部に電流を流すと、ＮからＰへの接合部分では吸熱現象が発生し、ＰからＮへの接合部分では放熱現象が発生し、ペルチェ素子は、電気を流すことで熱を低温側（吸熱側）から高温側（発熱側）へ輸送する。
前記筒状ペルチェ３６の係合筒部３９にペットボトル３の肩部１４が上側から係合されることにより、ボトルスタンド７に保持されたペットボトル３の下方移動が規制されている。
筒状ペルチェ３６の上下両端は開口しており、筒状ペルチェ３６は上端開口４１と下端開口４２とを有している。
筒状ペルチェ３６は、ボトル支持部１７の内周面１７ａに沿って配置され、接着剤等の適宜の固定手段によってボトル支持部１７の内周面１７ａに固定され、ボトルスタンド７は筒状ペルチェ３６を介してペットボトル３を保持するように構成され、筒状ペルチェ３６が、ボトルスタンド７に保持されたペットボトル３の胴部１３から肩部１４に亘ってその外周を包囲するように構成されている。
筒状ペルチェ３６の上下方向の長さは、ボトル支持部１７と同様に２リットル用のペットボトル３の長さの半分程度に短く設定されており、ボトルスタンド７に保持された２リットル用のペットボトル３の上部が筒状ペルチェ３６から上方に突出するようになっている。
筒状ペルチェ３６の係合筒部３９は、ボトルスタンド７に保持されたペットボトル３の肩部１４の上端から操作レバー２９の直ぐ上方に位置する肩部１４の口部９近傍までを包囲している。
筒状ペルチェ３６の係合筒部３９の下端は開口されており、ボトルスタンド７に保持されたペットボトル３の口部９と口部９に装着されるコック１１とが、ボトル支持部１７及び筒状ペルチェ３６から下方に突出され、筒状ペルチェ３６の係合筒部３９の下端開口４２の下方に、ペットボトル３の飲料水４を受けるコップ４４を載せるための受け皿４５が設けられている。
なお、ボトルスタンド７、ボトル支持部１７及び受け皿４５等は、合成樹脂により一体に形成すればよい。また、ボトル支持部１７はその内周面１７ａと外周面１７ｂとの間に空洞を有する中空状に形成してもよいし、内部に空洞を有さない中実状に形成してもよい。
上記実施形態によれば、ボトルスタンド７にペットボトル３をセットする場合、飲料水４が収納されたペットボトル３の口部９にキャップと交換してコック１１を螺合等によって外嵌装着すると共に、ペットボトル３をその口部９側が下に向いた状態で、ボトル支持部１７の上端開口２４から挿入して、ペットボトル３をボトル支持部１７に内嵌保持させ、ボトル支持部１７からペットボトル３の口部９及び口部９に装着したコック１１を下方に突出させればよく、飲料水４が収納されたペットボトル３はその口部９側が下に向いた状態でボトルスタンド７に簡単かつ安定に保持される。
飲料水４が収納されたペットボトル３の飲料水４を飲む場合は、受け皿４５上にコップ４４を置いて、コック１１の操作レバー２９を回動操作して、コック１１の注出口３０を開ければ、注出口３０から筒状ペルチェ３６によって冷却されたペットボトル３内の飲料水４がコップ４４に注出され、冷却された飲料水４を手軽に飲むことができる。
そして、上記実施形態では、ボトルスタンド７に、ペットボトル３の外周を包囲してペットボトル３内の飲料水４を冷却する筒状ペルチェ３６が設けられているので、筒状ペルチェ３６でペルチェ効果によってペットボトル３内の飲料水４を効果的に冷却して飲料することができる。
また、筒状ペルチェ３６はペルチェ効果を有するペルチェ素子や金属板等を筒状に形成することによって簡単に構成することができ、筒状ペルチェ３６は非常に簡単な構成になるし、冷却媒体を循環させるときのような可動部が不要になり、卓上サーバー１全体を構造簡単にして安価に製造することができる。
しかも、ペルチェ効果を利用して冷却するため、冷却媒体を循環させるときのような可動部が不要になり、騒音を生じさせることなくペットボトル３内の飲料水４を冷却できる。
また、筒状ペルチェ３６は、ペットボトル３の胴部１３が内嵌される上筒部３８と、上筒部３８の下端から下方に向けて先細り状に傾斜してペットボトル３の肩部１４が上側から係合される係合筒部３９とを有し、筒状ペルチェ３６が、ボトルスタンド７に保持されたペットボトル３の胴部１３から肩部１４に亘ってその外周を包囲するように構成され、上筒部３８及び係合筒部３９の内周面が筒状ペルチェ３６の吸熱面３６ａとされ、上筒部３８及び係合筒部３９の外周面が筒状ペルチェ３６の発熱面３６ｂとされているので、筒状ペルチェ３６の上筒部３８と係合筒部３９とで、ボトルスタンド７に保持されたペットボトル３の胴部１３から肩部１４に亘って効果的に冷やすことができ、特にペットボトル３の胴部１３の外周面に筒状ペルチェ３６の係合筒部３９の吸熱面３６ａを略全域に亘って沿わせることも可能になり、極めて簡単な構造の冷却手段でペットボトル３内の飲料水４を効果的に冷却でき、節電効果も期待できる。
また、ボトルスタンド７は、ペットボトル３を内嵌保持する筒状のボトル支持部１７を有し、このボトル支持部１７の内周面１７ａに沿って前記筒状ペルチェ３６が配置され、ボトルスタンド７は筒状ペルチェ３６を介してペットボトル３を保持するように構成されているので、ボトルスタンド７乃至ボトル支持部１７は、ボトルスタンド７に保持されたペットボトル３に筒状ペルチェ３６を介して接触することとなり、このため、ペットボトル３を保持するために当該ペットボトル３に接触する部分のすべてを筒状ペルチェ３６の吸熱面３６ａとすることが可能になり、極めて効率よく冷却対象であるペットボトル３乃至ペットボトル３内の飲料水４を冷却することができる。
また、筒状ペルチェ３６の係合筒部３９の下端は開口されており、ボトルスタンド７に保持されたペットボトル３の口部９と口部９に装着されるコック１１とが、ボトル支持部１７及び筒状ペルチェ３６から下方に突出され、筒状ペルチェ３６の係合筒部３９の下端開口２５の下方に、ペットボトル３の飲料水４を受けるコップ４４を載せるための受け皿４５が設けられているので、ボトルスタンド７に保持されたペットボトル３の口部９から筒状ペルチェ３６で冷却された飲料水４をストレートに下方に注出することができるようになり、卓上サーバー１全体をシンプルで構造が簡単なものになし得る。
また、ペットボトル３の口部９から注出された飲料水４をコップ４４で受ける際に飛び散った飲料水４を受け皿４５で受けることができ、飛び散った飲料水４で卓上サーバー１の周囲が濡れるのを防ぐことができる。
また、ペットボトル３の口部９に装着されるコック１１は、口部９に下方突出状に外嵌装着されるコック本体２８と、コック本体２８の外側方に位置する操作レバー２９とを備え、コック本体２８の下端部に注出口３０が形成され、前記筒状ペルチェ３６の係合筒部３９は、ボトルスタンド７に保持されたペットボトル３の肩部１４の上端から操作レバー２９の直ぐ上方に位置する肩部１４の口部９近傍までを包囲しているので、筒状ペルチェ３６の係合筒部３９でペットボトル３の肩部１４及び肩部１４内の飲料水４の全体を効率よく冷却することができ、ボトルスタンド７に保持されたペットボトル３の口部９から注出される直前の冷却水をうまく冷却することできる。
また、コック本体２８にエア吸入パイプ３３が上下貫通状に設けられ、このエア吸入パイプ３３を通して外部の空気をペットボトル３内に吸入するように構成されているので、コック１１の注出口３０を開いてペットボトル３の飲料水４を注出する際に、外部の空気がエア吸入パイプ３３を通してボトルスタンド７に保持されたペットボトル３内に吸入されるため、コック１１の注出口３０からペットボトル３内の飲料水４を脈動することなくスムーズに注出することができる。
また、前記筒状のボトル支持部１７は上方に向けて徐々に細くなるように先細り状に形成されてその外周面１７ｂが上方に行くに従って筒軸心Ａに向かうように傾斜されているので、ボトル支持部１７乃至ボトルスタンド７を下方側が大きく広がった安定した形状になすことができ、ペットボトル３の形状や大きさに拘わらずペットボトル３をその口部９側が下に向いた状態で安定に保持することができる。
また、ボトルスタンド７に保持された２リットル用のペットボトル３の上部がボトル支持部１７及び筒状ペルチェ３６から上方に突出するように、ボトル支持部１７及び筒状ペルチェ３６の上下方向の長さは２リットル用のペットボトル３の長さよりも短く設定されているので、ボトルスタンド７によって保持する対象である２リットル用のペットボトル３よりも、ボトル支持部１７及び筒状ペルチェ３６の上下方向の長さが短くなるため、ボトルスタンド７乃至卓上サーバー１全体の高さを低くすることができ、卓上サーバー１を小型でコンパクトなものになし得る。
なお、前記実施形態では、ボトルスタンド７に２リットル用のペットボトル３をその口部９側が下に向いた状態で保持するようにしているが、ボトルスタンド７乃至ボトル支持部１７に保持されるペットボトル３は、２リットル用のペットボトルに限定されず、ボトルスタンド７乃至ボトル支持部１７に２リットル用のペットボトルよりも大きい４リットル用のペットボトル等を保持するようにしてもよいし、また、２リットル用のペットボトルよりも小さいペットボトルを保持するようにしてもよい。
この場合、保持するペットボトル３の大きさに対応してボトルスタンド７乃至ボトル支持部１７の大きさを変更するようにしてもよいし、また、例えばボトル支持部１７の筒孔を予め大きく設定しておいて、種々の大きさや形状のペットボトル３を保持できるようにしてもよい。
【符号の説明】
【０００９】
１      卓上サーバー
３      ペットボトル
４      飲料水
７      ボトルスタンド
９      口部
１１    コック
１３    胴部
１４    肩部
１７    ボトル支持部
１７ａ  内周面
１７ｂ  外周面
２８    コック本体
２９    操作レバー
３０    注出口
３３    エア吸入パイプ
３６    筒状ペルチェ
３６ａ  吸熱面
３６ｂ  発熱面
３８    上筒部
３９    係合筒部
４２    下端開口
４４    コップ
４５    受け皿
Ａ      筒軸心
【図１】
2013116757.tif 000003